(57)【要約】【課題】置き忘れた原稿の持ち主から当該原稿が第三者に渡るリスクを効果的に抑止することによって、セキュリティ強化を図ることが可能な画像形成装置、画像形成システム、制御方法、及びプログラムを提供する【解決手段】操作者によって画像形成装置２０１の原稿台に原稿が置かれたことを検知した後、その操作者が当該画像形成装置２０１から離れたことをネットワークカメラ２０２によって検知すると、原稿台に当該原稿が置かれたままの状態であれば、当該原稿が置き忘れている旨を通知する。【選択図】図７
2019161662.tif 000002
【特許請求の範囲】
【請求項１】
操作者により置かれた原稿を用いて原稿データを生成する画像形成装置と、ネットワークを介して、ネットワークカメラとが接続された画像形成システムであって、
前記ネットワークカメラは、
前記画像形成装置から前記操作者が離れたことを検知する離隔検知手段、
を備え、
前記画像形成装置は、
前記原稿が置かれていることを検知する原稿検知手段と、
前記原稿検知手段によって原稿が置かれたままの状態を検知しているとき、前記ネットワークカメラの離隔検知手段によって、前記操作者が前記画像形成装置から離れたことを検知すると、原稿が置かれたままの状態であることを通知する通知手段と、
を備えたことを特徴とする画像形成システム。
【請求項２】
前記ネットワークカメラは、
前記画像形成装置から前記操作者が近づいたことを検知する接近検知手段と、
前記画像形成装置の周辺を撮影する撮影手段と、
を備え、
前記画像形成装置は、
前記離隔検知手段によって、操作者が前記画像形成装置から離れたことを検知した場合、前記撮影手段によって撮影された操作者を撮影した画像データを取得する元操作者画像取得手段と、
前記接近検知手段によって、操作者が前記画像形成装置に近づいたことを検知した場合、前記撮影手段によって撮影された操作者を撮影した画像データを取得する後操作者画像取得手段と、
元操作者画像取得手段によって取得した画像データと前記後操作者画像取得手段によって取得した画像データとを比較する比較手段と、
を備え、
前記通知手段は、前記比較手段の結果を通知することを特徴とする請求項１に記載の画像形成システム。
【請求項３】
前記比較手段は、原稿検知手段によって原稿が置かれたままの状態を検知した場合、前記元操作者画像取得手段によって取得した画像データと前記後操作者画像取得手段によって取得した画像データとを比較することを特徴とする請求項２に記載の画像形成システム。
【請求項４】
前記通知手段は、前記比較手段によって、元操作者画像取得手段によって取得した画像データと前記後操作者画像取得手段によって取得した画像データとが一致しない場合、元操作者画像取得手段によって取得した画像データを用いて通知を行うことを特徴とする請求項２または請求項３に記載の画像形成システム。
【請求項５】
前記通知手段は、前記元操作者画像取得手段によって画像データを取得した後、原稿検知手段によって原稿が置かれていない状態で、前記比較手段によって、元操作者画像取得手段によって取得した画像データと前記後操作者画像取得手段によって取得した画像データとが一致しない場合、元操作者画像取得手段によって取得した画像データを用いて通知を行うことを特徴とする請求項２乃至４の何れか１項に記載の画像形成システム。
【請求項６】
画像形成装置から操作者が離れたことを検知するネットワークカメラと、ネットワークを介して接続された、操作者により置かれた原稿を用いて原稿データを生成する画像形成装置であって、
前記原稿が置かれていることを検知する原稿検知手段と、
前記原稿検知手段によって原稿が置かれたままの状態を検知しているとき、前記ネットワークカメラによって、前記操作者が前記画像形成装置から離れたことを検知すると、原稿が置かれたままの状態であることを通知する通知手段と、
を備えたことを特徴とする画像形成装置。
【請求項７】
操作者により置かれた原稿を用いて原稿データを生成する画像形成装置と、ネットワークを介して、ネットワークカメラとが接続された画像形成システムの制御方法であって、
前記ネットワークカメラは、
前記画像形成装置から前記操作者が離れたことを検知する離隔検知ステップ、
を実行し、
前記画像形成装置は、
前記原稿が置かれていることを検知する原稿検知ステップと、
前記原稿検知ステップによって原稿が置かれたままの状態を検知しているとき、前記ネットワークカメラの離隔検知ステップによって、前記操作者が前記画像形成装置から離れたことを検知すると、原稿が置かれたままの状態であることを通知する通知ステップと、
を実行することを特徴とする画像形成システムの制御方法。
【請求項８】
操作者により置かれた原稿を用いて原稿データを生成する画像形成装置と、ネットワークを介して、ネットワークカメラとが接続された画像形成システムで読取実行可能なプログラムあって、
前記ネットワークカメラを、
前記画像形成装置から前記操作者が離れたことを検知する離隔検知手段、
として機能させ、
前記画像形成装置を、
前記原稿が置かれていることを検知する原稿検知手段と、
前記原稿検知手段によって原稿が置かれたままの状態を検知しているとき、前記ネットワークカメラの離隔検知手段によって、前記操作者が前記画像形成装置から離れたことを検知すると、原稿が置かれたままの状態であることを通知する通知手段と、
して機能させることを特徴とするプログラム。
【請求項９】
画像形成装置から操作者が離れたことを検知するネットワークカメラと、ネットワークを介して接続された、操作者により置かれた原稿を用いて原稿データを生成する画像形成装置の制御方法であって、
前記画像形成装置は、
前記原稿が置かれていることを検知する原稿検知ステップと、
前記原稿検知ステップによって原稿が置かれたままの状態を検知しているとき、前記ネットワークカメラによって、前記操作者が前記画像形成装置から離れたことを検知すると、原稿が置かれたままの状態であることを通知する通知ステップと、
を実行することを特徴とする画像形成装置の制御方法。
【請求項１０】
画像形成装置から操作者が離れたことを検知するネットワークカメラと、ネットワークを介して接続された、操作者により置かれた原稿を用いて原稿データを生成する画像形成装置で読取実行可能なプログラムあって、
前記画像形成装置を、
前記原稿が置かれていることを検知する原稿検知手段と、
前記原稿検知手段によって原稿が置かれたままの状態を検知しているとき、前記ネットワークカメラによって、前記操作者が前記画像形成装置から離れたことを検知すると、原稿が置かれたままの状態であることを通知する通知手段と、
して機能させることを特徴とするプログラム。
【発明の詳細な説明】
【技術分野】
【０００１】
本発明は、ネットワークカメラを用いた監視システムに関する発明であり、特に、画像形成装置に置かれた原稿の置き忘れを抑止する発明に関する。
【背景技術】
【０００２】
近年、ネットワークカメラ（以下、監視カメラ）を利用した監視システムの利用により、セキュリティを強化する動きが進んでいる。ただし今後、より細かい監視のニーズに対応するためには監視カメラと他のハードウェア間での連携が重要になってくる。
【０００３】
例えば、画像形成装置（複合機など）を使用する際の機密文書の置き忘れという、操作者のヒューマンエラーに起因するセキュリティリスクについて、画像形成装置と監視カメラとの連携によって、より効果的な防止・リスク軽減策を提供することが可能となる。
【０００４】
具体的には、監視カメラの映像や動体検知などのインテリジェント機能と、原稿設置などの画像形成装置の状態変化を関連付けたうえで、セキュリティログとして記録し利用するようなシステムである。
【０００５】
そこで先行技術として、特許文献１には画像形成装置で使用した原稿画像と操作者画像を連携させた、原稿の持ち主検索システムが記載されている。
【先行技術文献】
【特許文献】
【０００６】
【特許文献１】特開２００９−８９２５０号公報
【発明の概要】
【発明が解決しようとする課題】
【０００７】
しかしながら、特許文献１に記載の先行技術では、印刷画像（原稿）と操作者を記録するカメラ映像を紐づけて管理しているが、これは原稿設置など逐次変化する状態を監視するものではなく、読み取った原稿の画像データと紐づけて操作者の顔画像の情報などを管理するというものである
【０００８】
この原稿の画像データと紐づけて管理された操作者の顔画像の情報から、置き忘れた原稿を読み取り、当該原稿の持ち主を検索するためのものであり、原稿の置き忘れ防止、持ち去りなどのセキュリティリスクに、未然に対応するものではない。
【０００９】
つまり、特許文献１に記載の画像形成装置（複合機など）の機能では、「原稿の置き忘れ」を効果的に防止できず、それにより置き忘れ原稿の持ち去りなどのセキュリティリスクが生じることになり、更に、特許文献１に記載の技術では、置き忘れ原稿を「持ち去った」人物の特定が困難である。
【００１０】
そこで、本発明では、置き忘れた原稿の持ち主から当該原稿が第三者に渡るリスクを効果的に抑止することによって、セキュリティ強化を図ることが可能な画像形成装置、画像形成システム、制御方法、及びプログラムを提供することを目的とする。
【課題を解決するための手段】
【００１１】
上記課題を解決するための第一の発明は、操作者により置かれた原稿を用いて原稿データを生成する画像形成装置と、ネットワークを介して、ネットワークカメラとが接続された画像形成システムであって、前記ネットワークカメラは、前記画像形成装置から前記操作者が離れたことを検知する離隔検知手段、を備え、前記画像形成装置は、前記原稿が置かれていることを検知する原稿検知手段と、前記原稿検知手段によって原稿が置かれたままの状態を検知しているとき、前記ネットワークカメラの離隔検知手段によって、前記操作者が前記画像形成装置から離れたことを検知すると、原稿が置かれたままの状態であることを通知する通知手段と、を備えたことを特徴とする。
【００１２】
上記課題を解決するための第二の発明は、画像形成装置から操作者が離れたことを検知するネットワークカメラと、ネットワークを介して接続された、操作者により置かれた原稿を用いて原稿データを生成する画像形成装置であって、前記原稿が置かれていることを検知する原稿検知手段と、前記原稿検知手段によって原稿が置かれたままの状態を検知しているとき、前記ネットワークカメラによって、前記操作者が前記画像形成装置から離れたことを検知すると、原稿が置かれたままの状態であることを通知する通知手段と、を備えたことを特徴とする。
【００１３】
上記課題を解決するための第三の発明は、操作者により置かれた原稿を用いて原稿データを生成する画像形成装置と、ネットワークを介して、ネットワークカメラとが接続された画像形成システムの制御方法であって、前記ネットワークカメラは、前記画像形成装置から前記操作者が離れたことを検知する離隔検知ステップ、を実行し、前記画像形成装置は、前記原稿が置かれていることを検知する原稿検知ステップと、前記原稿検知ステップによって原稿が置かれたままの状態を検知しているとき、前記ネットワークカメラの離隔検知ステップによって、前記操作者が前記画像形成装置から離れたことを検知すると、原稿が置かれたままの状態であることを通知する通知ステップと、を実行することを特徴とする。
【００１４】
上記課題を解決するための第四の発明は、操作者により置かれた原稿を用いて原稿データを生成する画像形成装置と、ネットワークを介して、ネットワークカメラとが接続された画像形成システムで読取実行可能なプログラムあって、前記ネットワークカメラを、前記画像形成装置から前記操作者が離れたことを検知する離隔検知手段、として機能させ、前記画像形成装置を、前記原稿が置かれていることを検知する原稿検知手段と、前記原稿検知手段によって原稿が置かれたままの状態を検知しているとき、前記ネットワークカメラの離隔検知手段によって、前記操作者が前記画像形成装置から離れたことを検知すると、原稿が置かれたままの状態であることを通知する通知手段と、して機能させることを特徴とする。
【００１５】
上記課題を解決するための第五の発明は、画像形成装置から操作者が離れたことを検知するネットワークカメラと、ネットワークを介して接続された、操作者により置かれた原稿を用いて原稿データを生成する画像形成装置の制御方法であって、前記画像形成装置は、前記原稿が置かれていることを検知する原稿検知ステップと、前記原稿検知ステップによって原稿が置かれたままの状態を検知しているとき、前記ネットワークカメラによって、前記操作者が前記画像形成装置から離れたことを検知すると、原稿が置かれたままの状態であることを通知する通知ステップと、を実行することを特徴とする。
【００１６】
上記課題を解決するための第六の発明は、画像形成装置から操作者が離れたことを検知するネットワークカメラと、ネットワークを介して接続された、操作者により置かれた原稿を用いて原稿データを生成する画像形成装置で読取実行可能なプログラムあって、前記画像形成装置を、前記原稿が置かれていることを検知する原稿検知手段と、前記原稿検知手段によって原稿が置かれたままの状態を検知しているとき、前記ネットワークカメラによって、前記操作者が前記画像形成装置から離れたことを検知すると、原稿が置かれたままの状態であることを通知する通知手段と、して機能させることを特徴とする。
【発明の効果】
【００１７】
本発明により、画像形成装置へ原稿の置忘れに関する通知を画像形成装置付近のユーザへ通知することによって、置き忘れた原稿の持ち主から当該原稿が第三者に渡るリスクを効果的に抑止することによって、セキュリティ強化を図ることができる、という効果を奏する。
【図面の簡単な説明】
【００１８】
【図１】原稿置き忘れについての現存の課題を説明するための説明図である。
【図２】本発明の実施形態に係る画像形成装システムの構成の一例を示すシステム構成図である。
【図３】本発明の実施形態に係る画像形成装置のハードウェア構成を示す構成図である。
【図４】本発明の実施形態に係るデータストア用サーバのハードウェア構成を示す構成図である。
【図５】本発明の実施形態に係る画像形成システムにおける機能構成を示す機能構成図である。
【図６】本発明における原稿置き忘れ通知機能の概要を説明するための説明図である。
【図７】本発明の実施形態に係る画像形成システムにおける原稿置き忘れ通知処理の一例を示すフローチャートである。
【図８】本発明の実施形態に係る画像形成システムにおける操作者離隔検知処理の一例を示すフローチャートである。
【図９】本発明のおける原稿置き忘れ操作者表示機能の概要を説明するための説明図である
【図１０】本発明の実施形態に係る画像形成システムにおける原稿置き忘れ操作者表示処理の一例を示すフローチャートである。
【図１１】本発明の実施形態に係る画像形成システムにおける操作者接近検知処理の一例を示すフローチャートである。
【図１２】本発明における原稿拾得者表示機能の概要を説明するための説明図である。
【図１３】本発明の実施形態に係る画像形成システムにおける原稿拾得者表示処理の一例を示すフローチャートである。
【図１４】本発明の実施形態において、原稿置き忘れ操作者表示画面の構成を示す構成図である。
【図１５】本発明の実施形態において、原稿拾得者表示画面の構成を示す構成図である。
【図１６】本発明の実施形態に係る画像形成システムで実行される処理で用いるデータを記憶するためのテーブルの構成を示す構成図である。
【発明を実施するための形態】
【００１９】
以下、図面を参照して、本発明の実施形態を詳細に説明する。
【００２０】
図１は、本発明の解決すべき課題の概要を図示したものである。
まず、操作者Ａが、画像形成装置に原稿をセットし、コピー機能などを利用したものとする。そして、操作者Ａは、原稿を画像形成装置へセットしたまま、画像形成装置から離れると、原稿は置いたままの状態となり、当該原稿が第三者へ渡った際に、原稿に含まれる機密情報や個人情報の流出につながる（課題（１））。
【００２１】
また、操作者Ａが原稿をセットしたまま、画像形成装置から離れ、操作者Ｂが画像形成装置へ近づいた場合、操作者Ｂは、画像形成装置にセットされた原稿を見つけると、当該原稿の持ち主（操作者Ａ）を特定し、持ち主に当該原稿を渡すことが想定される。特に原稿に機密情報等が含まれていた場合は、当該原稿を渡す必要がある。
【００２２】
更に、操作者Ａは、原稿をセットしたまま、画像形成装置から離れた後、操作者Ａが、画像形成装置に戻った際には、当該原稿が画像形成装置に残っていない場合、つまり、第三者が持ち去る場合が生じ得る。この場合、持ち去った第三者を特定し、当該原稿の返却を求めることが必要とされる。
【００２３】
［第１の実施形態］
図２は、本発明の画像形成システムの構成の一例を示すシステム構成図である。
図２は、画像形成システム２００は、１又は複数の画像形成装置２０１、1又は複数のネットワークカメラ（監視カメラ）２０２、および１又は複数のデータストア用サーバ２０４がローカルエリアネットワーク（ＬＡＮ）２０３を介して接続される構成となっている。
【００２４】
画像形成装置２０１は、原稿の読み込みや印刷、原稿台に置かれた原稿の有無などの状態監視、備え付けのモニターでの情報表示などを行うことができる。またネットワーク２０３を介して、ネットワークカメラ２０２と接続され、ネットワークカメラ２０２と画像形成装置２０１の間で各種情報をやり取りすることが可能である。
【００２５】
ネットワークカメラ２０２は、単体での映像記録に加えて、ネットワーク２０３を介して他のデバイスへの映像配信などを行うことができる。さらに動体検知および通過検知等のインテリジェント機能や顔識別機能などを有している。
【００２６】
また、ネットワーク２０３を介して他のデバイスと各種情報をやり取りすることが可能であり、遠隔操作によりネットワークカメラ２０２の移動／ズームなどを行うことができる。
【００２７】
データストア用サーバ２０４は、ファイルサーバやデータベースサーバなどの機能を有しており、ネットワークカメラ２０２の映像や画像など、本発明における各種情報を永続的なデータとして保持する。
【００２８】
また、本実施形態の画像形成システム２００は、上述した構成の１又は複数の画像形成装置２０１、１又は複数のネットワークカメラ２０２、１又は複数のデータストア用サーバ２０４がＬＡＮ２０３を介して接続される構成の１又は複数のＷＡＮを介して接続される構成であってもよい。
【００２９】
図３は、図２に示した画像形成装置２０１のハードウェア構成を示す構成図である。
【００３０】
図３において、３１６はコントローラユニットで、画像入力デバイスとして機能するスキャナ３１４や、画像出力デバイスとして機能するプリンタ部３１２と接続する一方、ＬＡＮ（例えば、図１に示したネットワーク２０３）や公衆回線（ＷＡＮ）（例えば、ＰＳＴＮまたはＩＳＤＮ等）と接続することで、画像データやデバイス情報の入出力を行う。
【００３１】
コントローラユニット３１６において、３０１はＣＰＵで、システム全体を制御するプロセッサである。３０２はＲＡＭで、ＣＰＵ３０１が動作するためのシステムワークメモリであり、プログラムを記録するためのプログラムメモリや、画像データを一時記録するための画像メモリでもある。
【００３２】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００３３】
３０７は操作部インタフェース（操作部Ｉ／Ｆ）で、操作部（キーボード）３０８とのインタフェース部である。また、操作部Ｉ／Ｆ３０７は、操作部３０８から入力したキー情報（例えば、スタートボタンの押下）をＣＰＵ３０１に伝える役割をする。
【００３４】
３０５はネットワークインタフェース（Ｎｅｔｗｏｒｋ  Ｉ／Ｆ）で、ネットワーク（ＬＡＮ）２０３に接続する。
【００３５】
また、無線通信も可能な構成となっており、赤外線やＢｌｕｅｔｏｏｔｈ（登録商標）、Ｗｉ-Ｆｉ（登録商標）を用いた通信にて他の装置と接続し、データの入出力を行う。
【００３６】
３０６はモデム（ＭＯＤＥＭ）で、公衆回線に接続し、ＦＡＸの送受信等のデータの入出力を行う。
【００３７】
３１８は外部インタフェース（外部Ｉ／Ｆ）で、ＵＳＢ、ＩＥＥＥ１３９４、プリンタポート、ＲＳ−２３２Ｃ等の外部入力を受け付けるＩ／Ｆ部であり、本実施形態においては認証で必要となる携帯端末のＩＣカード（記憶媒体）の読み取り用のカードリーダ３１９が外部Ｉ／Ｆ３１８に接続されている。
【００３８】
そして、ＣＰＵ３０１は、この外部Ｉ／Ｆ３１８を介してカードリーダ３１９による携帯端末のＩＣカードからの情報読み取りを制御し、該携帯端末のＩＣカードから読み取られた情報を取得可能である。以上のデバイスがシステムバス３０９上に配置される。
【００３９】
３２０はイメージバスインタフェース（ＩＭＡＧＥ  ＢＵＳ  Ｉ／Ｆ）であり、システムバス３０９と画像データを高速で転送する画像バス３１５とを接続し、データ構造を変換するバスブリッジである。
【００４０】
画像バス３１５は、ＰＣＩバスまたはＩＥＥＥ１３９４で構成される。画像バス３１５上には以下のデバイスが配置される。
【００４１】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ部３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００４２】
３１７は画像処理部で、入力画像データに対し補正、加工、編集を行ったり、プリント出力画像データに対して、解像度変換等を行う。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。
【００４３】
スキャナ３１４は、原稿となる紙上の画像を照明し、ＣＣＤラインセンサで走査することで、ラスタイメージデータとして電気信号に変換する。
【００４４】
原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００４５】
プリンタ部３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。
【００４６】
プリント動作の起動は、ＣＰＵ３０１からの指示によって開始する。なお、プリンタ部３１２には、異なる用紙サイズまたは異なる用紙向きを選択できるように複数の給紙段を持ち、それに対応した用紙カセットがある。
【００４７】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。
【００４８】
また、操作部３０８は、各種操作キーとして、例えば、スタートキー、ストップキー、ＩＤキー、リセットキー等を備える。
【００４９】
尚、表示部は画像形成装置によって表示性能が異なり、タッチパネルを介して操作をできる画像形成装置、単に液晶画面を備え文字列を表示（印刷状態や印刷している文書名の表示）させるだけの画像形成装置によって本発明は構成されている。
【００５０】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時に用いる。リセットキーは、操作部からの設定を初期化する時に用いる。
【００５１】
カードリーダ３１９は、ＣＰＵ３０１からの制御により、ＩＣカード（ＩＣチップとして携帯端末内に備えられていてもよい）に記憶されている情報を読み取り、該読み取った情報を外部Ｉ／Ｆ３１８を介してＣＰＵ３０１へ通知する。
【００５２】
また、カードリーダ３１９はＮＦＣの通信規格に対応しており、ＩＣカードや携帯端末のＩＣチップへの読み書きを行うことが可能な構成となっている。なお、ＮＦＣ規格対応のカードリーダに、ＮＦＣ規格対応の携帯端末をかざすと、認証を行い、携帯端末と画像形成装置（複合機）とのペアリングを行う。
【００５３】
そして、かざされた携帯端末と画像形成装置（複合機）で通信（Ｐ２Ｐ）を確立してデータの通信を行うことが可能である。その他、高速通信規格である、Ｂｌｕｅｔｏｏｔｈ（登録商標）やＷｉ-Ｆｉ（登録商標）に通信を引き継ぎ（ハンドオーバー）、携帯端末と画像形成装置（複合機）間で通信を行わせることも可能である。
【００５４】
例えば、携帯端末をカードリーダにかざすことで、携帯端末に記憶されている画像を画像形成装置（複合機）へ送信することが可能となる。なお、ＮＦＣの通信規格の詳細は、従来技術であるため、説明を省略するものとする。
【００５５】
上述した画像形成装置２０１では、画像形成装置２０１を制御するためのプラットフォームが存在し、このプラットフォーム上で、認証サーバ（不図示）と通信するための認証アプリケーションが動作している。
【００５６】
認証アプリケーションはＨＤＤ３０４に記憶されている。プラットフォームが管理する、ログイン時にユーザ情報を格納するログインコンテキストや、各種設定情報は、ＨＤＤ３０４上に領域が確保されている。
【００５７】
また、プラットフォーム上には、画像形成装置２０１の本体機能を拡張したアプリケーションがインストールされ、動作している。これらアプリケーションは、プラットフォームのＡＰＩを用いて実行される。
【００５８】
このプラットフォームを介して、画像形成装置の各機能を制御することが可能な構成となっている。
【００５９】
また、画像形成装置２０１には、Ｗｅｂブラウザも記憶されており、Ｗｅｂシステムと連携することも可能である。この場合、Ｗｅｂアプリケーションサーバから受信した画面を、Ｗｅｂブラウザを用いて表示する。
【００６０】
Ｗｅｂブラウザ上で指示した命令は、Ｗｅｂアプリケーションサーバへ要求がなされ、Ｗｅｂアプリケーションサーバからの命令を受け付けることによって、画像形成装置２０１により動作（スキャンやプリント処理）を実行することが可能である。
【００６１】
以上のような構成によって、画像形成装置２０１は、スキャナ３１４から読み込んだ画像データをネットワーク２０３上に送信したり、ネットワーク２０３から受信した印刷データをプリンタ部３１２により印刷出力することができる。
【００６２】
また、スキャナ３１４から読み込んだ画像データをモデム３０６により、公衆回線上にＦＡＸ送信したり、公衆回線からＦＡＸ受信した画像データをプリンタ部３１２により出力することできる。
【００６３】
以下、図４を用いて、図２に示したデータストア用サーバ２０４に適用可能な情報処理装置のハードウェア構成について説明する。
【００６４】
図４において、４０１はＣＰＵで、システムバス４０４に接続される各デバイスやコントローラを統括的に制御する。また、ＲＯＭ４０２あるいは外部メモリ４１１には、ＣＰＵ４０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００６５】
４０３はＲＡＭで、ＣＰＵ４０１の主メモリ、ワークエリア等として機能する。ＣＰＵ４０１は、処理の実行に際して必要なプログラム等をＲＯＭ４０２あるいは外部メモリ４１１からＲＡＭ４０３にロードして、該ロードしたプログラムを実行することで各種動作を実現するものである。
【００６６】
また、４０５は入力コントローラで、キーボード（ＫＢ）４０９や不図示のマウス等のポインティングデバイス等からの入力を制御する。４０６はビデオコントローラで、ＣＲＴディスプレイ（ＣＲＴ）４１０等の表示器への表示を制御する。
【００６７】
なお、図４では、ＣＲＴ４１０と記載しているが、表示器はＣＲＴだけでなく、液晶ディスプレイ等の他の表示器であってもよい。これらは必要に応じて管理者が使用するものである。
【００６８】
４０７はメモリコントローラで、ブートプログラム、各種のアプリケーション、フォントデータ、ユーザファイル、編集ファイル、各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ４１１へのアクセスを制御する。
【００６９】
４０８は通信Ｉ／Ｆコントローラで、ネットワーク（例えば、図１に示したネットワーク２０３）を介して外部機器と接続・通信するものであり、ネットワークでの通信制御処理を実行する。例えば、ＴＣＰ／ＩＰを用いた通信等が可能である。
【００７０】
なお、ＣＰＵ４０１は、例えばＲＡＭ４０３内の表示情報用領域へアウトラインフォントの展開（ラスタライズ）処理を実行することにより、ＣＲＴ４１０上での表示を可能としている。また、ＣＰＵ４０１は、ＣＲＴ４１０上の不図示のマウスカーソル等でのユーザ指示を可能とする。
【００７１】
本発明を実現するための後述する各種プログラムは、外部メモリ４１１に記録されており、必要に応じてＲＡＭ４０３にロードされることによりＣＰＵ４０１によって実行されるものである。さらに、上記プログラムの実行時に用いられる定義ファイル及び各種情報テーブル等も、外部メモリ４１１に格納されており、これらについての詳細な説明も後述する。
【００７２】
図５は、本発明の画像形成システムの構成の一例を示すプログラム構成を示す機能ブロック図である。
【００７３】
図４の例では、本システムは画像形成装置２０１とデータストア用サーバ２０４とネットワークカメラ（監視カメラ）２０３で構成される。
【００７４】
画像形成装置２０１には、原稿の有無などの状態を検知する状態管理機能を有する装置状態検知部５０１、付属のモニターなど（表示部）で情報を表示する画像表示部５０２、ネットワークカメラ２０２から取得した操作者を撮影して得られた画像（操作者画像）やデータストア用サーバ２０４上に存在する操作者画像データなどを管理する監視画像管理部５０３、ネットワークカメラ２０２がインテリジェント機能により検知した情報を元に、操作者の接近、離隔などの移動を判定する操作者移動判定部５０４を備える。
【００７５】
データストア用サーバ２０４には、画像データなどの任意の情報を永続的なデータとして管理、保存する画像データ管理・保存部５０５を備える。
【００７６】
ネットワークカメラ（監視カメラ）２０３には、監視映像の取得や録画、配信を行う映像取得部５０６、動体検知、通過検知等のインテリジェント機能を実現するインテリジェント機能部５０７を備える。
【００７７】
次に、図６を参照して本実施形態の画像形成システムにおける原稿置き忘れ通知機能の概要を説明する。
【００７８】
図６においては、画像形成装置２０１とそれを監視するネットワークカメラ２０２およびそれらがネットワーク２０３を介して接続されている状態である。
【００７９】
ここで原稿置き忘れ通知機能とは、まず操作者Ａが画像形成装置２０１でコピーなどの操作（１）を行った後に、印刷物のみ取得し原稿を置き忘れたまま画像形成装置２０１から離れた場合（２）を想定する。
【００８０】
その場合、ネットワークカメラ２０２のインテリジェント機能により操作者Ａが画像形成装置２０１から離れたこと及び画像形成装置２０１の状態管理機能により原稿の置き忘れがあることを検知（３）したら、画像形成装置２０１からビープ音や画面上での警告によって通知（４）する機能である。
【００８１】
図７では原稿置き忘れ通知処理について、フローチャートを用いて説明する。本処理は画像形成装置２０１で実施される。
【００８２】
ステップＳ７０１では、操作者によって印刷原稿が原稿台へ設置されたことを画像形成装置２０１の状態管理機能により検知する。
【００８３】
ステップＳ７０２では、原稿を設置した操作者が画像形成装置２０１から離れたことを、ネットワークカメラ２０２のインテリジェント機能を利用して検知する。操作者離隔検知処理の詳細については、図８を参照し別途記述する。
【００８４】
ステップＳ７０３では、原稿台に原稿が残っているかをチェックするため、原稿台の状態を取得する。
【００８５】
ステップＳ７０４では、操作者が離隔したにもかかわらず、まだ原稿が原稿台に設置状態にあるかを判定し、原稿が原稿台に設置状態にない場合は、本フローを終了し、原稿が原稿台に設置状態にある場合は、置き忘れと判断し、ステップＳ７０５に進む。
【００８６】
ステップＳ７０５では、置き忘れ原稿があることをビープ音または操作部３０８に表示された画面において警告を表示することにより、原稿の置き忘れに操作者が気付くよう通知を行い、処理を終了する。
【００８７】
図８では、図７に示すフローチャートを用いて、操作者離隔検知処理について説明する。当処理は画像形成装置２０１およびネットワークカメラ２０２において実施される。
【００８８】
ステップＳ８０１では、画像形成装置２０１において、ネットワークカメラ２０２からのステップＳ８０２による動体検知のイベントを一定間隔で繰り返し取得し、ステップＳ８０３において動体検知や通過検知等の各種イベントが検出されなくなることを判断するまでステップＳ８０２〜８０３の処理を繰り返す。ここでネットワークカメラ２０２には、監視対象とする画像形成装置２０１周辺の動体検知について、検知範囲や精度などの設定があらかじめ行われているものとする。
【００８９】
ステップＳ８０３では、画像形成装置２０１において、動体検知なしと判定した時点で、ステップＳ８０４に処理が移り、ステップＳ８０４では、操作者が離隔した（画像形成装置２０１から離れた）ことを当処理の呼び出し元の処理に対して、処理結果として通知し処理を終了する。
【００９０】
[第２の実施形態]
第２の実施形態は、第１の実施形態において原稿の置き忘れが防止できず、実際に原稿が置き忘れられた場合を想定して説明する。
【００９１】
尚、第２の実施形態は、第１の実施形態を基に構成されているものであるため、第１の実施形態と重複する構成や処理内容については、同一の符号を用いて、説明は省略する。
【００９２】
図９は、本実施形態の画像形成システム２００における原稿置き忘れ操作者表示機能の概要のイメージ図である。
【００９３】
図９において、原稿置き忘れ操作者表示機能とは、まず操作者Ａによる原稿の置き忘れ（１、２）があった場合に、操作者Ａとは別の操作者Ｂが画像形成装置２０１に接近してきた際（３）、置き忘れ原稿がある旨と置き忘れた操作者の画像を画面に表示する（４）機能である。
【００９４】
尚、操作者ＡおよびＢが別人であることは、ネットワークカメラ２０２の顔認識機能によって自動的に判断することが可能である。
【００９５】
図１０において、原稿置き忘れ操作者表示処理に関して、フローチャートを用いて説明する。当処理は画像形成装置２０１、ネットワークカメラ２０２、及びデータストア用サーバ２０４にて実施される。
【００９６】
ステップＳ１００１では、画像形成装置２０１において、監視領域から操作者が離隔したことを、図８を用いて先に説明した操作者離隔検知処理にて検知する。
【００９７】
ステップＳ１００２では、画像形成装置２０１からのネットワーク２０３を介した命令に従い、ネットワークカメラ２０２において離隔した操作者の画像を取得し、画像形成装置２０１にその画像を配信する。
【００９８】
ステップＳ１００３では、画像形成装置２０１において、原稿が原稿台に設置された状態のままかを、状態監視機能を使用して判定し、原稿が原稿台に設置された状態のままと判定した場合、置き忘れがあると判定し、ステップＳ１００４へ処理を進め、原稿が原稿台に設置された状態のままと判定しない場合、原稿の置き忘れはないと判定して、当処理を終了する。
【００９９】
ステップＳ１００４では、データストア用サーバ２０４において、画像形成装置２０１から送られてきた原稿を置き忘れた操作者の画像および、その画像の取得時間に関するデータを記憶する。
【０１００】
データは、データストア用サーバ２０４内においてデータベース上またはファイルとして記憶する。当情報を保管する際のデータテーブルの例については、図１６を用いて説明する。
【０１０１】
図１６では、置き忘れ原稿の持ち主、その原稿の拾得者の情報を関連付けて保持する際のデータベーステーブルの一例を説明する。
【０１０２】
当テーブルは、データを一意に識別するＩＤ１６０１、置き忘れ操作者の画像データを示す置き忘れ操作者画像データ１６０２、当該置き忘れ操作者の画像データを取得した時間（ネットワークカメラ２０２で撮影したときの時間、あるいは、画像形成装置２０１で取得した時間の何れでも良い）を示す置き忘れ操作者画像取得時間１６０３、置き忘れ原稿を拾得した拾得者の画像データを示す拾得者画像データ１６０４、当該拾得者の画像データを取得した時間（時間の取得タイミングは、置き忘れ操作者画像取得時間に準じる）を示す拾得者画像取得時間１６０５をそれぞれ一つのデータとして保持する。
【０１０３】
ここで、拾得者画像データは必ずしも必須ではなく、置き忘れ操作者画像データのみで構成される状態もありうる。
【０１０４】
また、画像データはファイルとして保持し、置き忘れ操作者画像データ１６０２、拾得者画像データ１６０４の代わりにいそのファイルへのリンク（ファイルパス等）を保持して操作者画像を参照することも可能である。
【０１０５】
つまり、本ステップでは、ＩＤ１６０１を他のＩＤに対して一意となるように発番し、置き忘れ操作者画像データ１６０２、置き忘れ操作者画像取得時間１６０３にそれぞれのデータを記憶する。
【０１０６】
ステップＳ１００５では、再び画像形成装置２０１に、操作者が接近してきたことをネットワークカメラ２０２のインテリジェント機能を使用して検出する。操作者接近検知処理については、図１１を参照し別途後述する。
【０１０７】
ステップＳ１００６では、画像形成装置２０１に接近してきた操作者の画像をネットワークカメラ２０２により取得する。ネットワークカメラ２０２は取得した画像を画像形成装置２０１に配信し、画像形成装置２０１は、その画像を受信して、ステップＳ１００７に進む。
【０１０８】
ステップＳ１００７では、画像形成装置２０１において、ステップＳ１００６で取得した操作者画像と、ステップＳ１００２で取得した操作者画像とを突き合わせて、顔認識技術などの既存技術を適用することで、操作者の特徴から同一人物か検出する処理を行い、その結果をもとにステップＳ１００８において置き忘れ操作者と同一人物であるか判定を行う。
【０１０９】
ステップＳ１００８では、同一人物であると判定した場合は、置き忘れた原稿を取りに来たものと判断し、当処理を終了し、一方、別人であると判定した場合は、ステップＳ１００９に処理を進める。
【０１１０】
ステップＳ１００９では、データストア用サーバ２０４において、ステップＳ１００４においてデータストア用サーバ２０４に記憶された、原稿を置き忘れた操作者の画像を取得し画像形成装置２０１に送信する。あるいは、ステップＳ１００２において取得した画像を取得する。
【０１１１】
ステップＳ１０１０では、画像形成装置２０１において、データストア用サーバ２０４から受信（あるいは、ステップＳ１００２において取得した画像）した原稿置き忘れ操作者の画像を、図１４のように操作部３０８に表示された画面に表示し、置き忘れ原稿がある旨をステップＳ１００５で検知した別の操作者に通知する。そして、通知画面においてＯＫボタンが押下されたら、通知画面を閉じ一連のフローを終了する。
【０１１２】
図１４では、原稿置き忘れ操作者の通知画面１４００を説明する。当通知画面１４００は、置き忘れ原稿が存在する場合に、置き忘れた操作者とは異なる人物が画像形成装置２０１に接近した際に表示する画面の一例であり、警告メッセージ１４０１と、原稿を置き忘れた操作者の画像１４０２、および画像取得日時１４０３、当画面を閉じるためのＯＫボタン１４０４から構成される。
【０１１３】
次に、図１１を参照し、図１０のフローチャートにおける操作者離隔検知処理について説明する。当処理は画像形成装置２０１およびネットワークカメラ２０２において実施される。
【０１１４】
ステップＳ１１０１では、画像形成装置２０１において、ネットワークカメラ２０２からステップＳ１１０２による動体検知のイベントを一定間隔で繰り返し取得し、ステップＳ１１０３においてネットワークカメラ２０２により動体検知や通過検知等の各種イベントが検出されるようになるまでステップＳ１１０２〜１１０３の処理を繰り返す。
【０１１５】
ここでネットワークカメラ２０２には、監視対象とする画像形成装置２０１周辺の動体検知について、検知範囲や精度などの設定があらかじめ行われているものとする。
【０１１６】
ステップＳ１１０３では、画像形成装置２０１において、動体検知ありと判定した時点で、ステップＳ１１０４に処理が移り、ステップＳ１１０４では、画像形成装置２０１において、操作者が接近した（画像形成装置２０１の近くに現れた）ことを当処理の呼び出し元の処理に対して、処理結果として通知し処理を終了する。
【０１１７】
本実施形態では、ステップＳ１００８において、原稿の置忘れをした操作者と画像形成装置２０１に近づいた操作者とが、同一人物であるときは、処理を終了しているが、この態様に留まらず、本ステップにおいて、同一人物であると判定したときは、置き忘れた原稿がある旨を示す通知を行っても良い。その一例として、その旨を示す図示の画面を操作部３０８（表示部）へ表示する態様を取っても良い。
【０１１８】
[第３の実施形態]
第３の実施形態では、第１の実施形態の後置き忘れ操作者とは別の操作者により、置き忘れ原稿が持ち去られた場合を想定する。尚、第１及び第２の実施形態の構成を基にして、第３の実施形態は構成されており、同一の構成及び処理について、重複する内容については同一符号を用いるが、説明は省略する。
【０１１９】
図１２は、本実施形態の画像形成システム２００における原稿拾得者表示機能の概要のイメージ図である。
【０１２０】
図１２において、原稿拾得者表示機能とは、まず、操作者Ａによる原稿の置き忘れ（１、２）があった場合で、操作者Ａとは別の操作者Ｂが、画像形成装置２０１に置き忘れられた原稿を持ち去った場合（３）を想定し、その状態で置き忘れた原稿を探しに、改めて操作者Ａが画像形成装置２０１に接近してきた際（４）、操作者Ａが、置き忘れた原稿を拾得した操作者Ｂの画像を画面に表示する（５）機能である。操作者ＡおよびＢが別人であることは、ネットワークカメラ２０２の顔認識機能によって自動的に判断することが可能である。
【０１２１】
以下、本実施形態における画像形成システム２００における原稿拾得者表示処理の流れを、図１３に示すフローチャートを参照して説明する。尚、当処理の説明は、処理開始時に置き忘れ原稿がすでに存在し、原稿を置き忘れた操作者とは別の人物が画像形成装置２０１に接近していることを前提として行う。当処理は画像形成装置２０１、ネットワークカメラ２０２、データストア用サーバ２０４にて実施される。
【０１２２】
ステップＳ１３０１では、画像形成装置２０１の監視領域から操作者が離隔したことを、図８を用いて先に説明した操作者離隔検知処理にて検知する。離隔した操作者は、原稿を置き忘れた操作者とは別人であることを想定している。
【０１２３】
ステップＳ１３０２では、画像形成装置２０１から離隔した操作者の画像をネットワークカメラ２０２により取得する。ネットワークカメラ２０２は、取得した画像を画像形成装置２０１に配信し、画像形成装置２０１は、その画像を受信して、ステップＳ１３０３に処理を進める。
【０１２４】
ステップＳ１３０３では、画像形成装置２０１において、原稿の存在有無を画像形成装置２０１の状態監視機能によって検出する。原稿が原稿台に設置された状態であると判定した場合は、特に持ち去りなどは行われていないと判定し、当処理を終了し、原稿が原稿台に設置された状態でないと判定した場合は、離隔した操作者によって原稿が持ち去られたと判定し、ステップＳ１３０４に進む。
【０１２５】
ステップＳ１３０４では、画像形成装置２０１において、持ち去られた原稿の持ち主の画像と、持ち去った拾得者画像の関連付けを行い、持ち主または拾得者を紐づけることで後の検索などを行えるようにしておく。
【０１２６】
ステップＳ１３０５では、データストア用サーバ２０４において、原稿を置き忘れた操作者画像と、拾得者の関連付け情報をデータストア用サーバ２０４に記憶する。また、拾得者画像の取得日時を同時に記憶する。
【０１２７】
置き忘れ操作者のデータはすでに保持されているので、それに追加する形で拾得者情報について保持する。当情報が記憶されたデータテーブルの例について、図１６に示す。
【０１２８】
本ステップでは、置き忘れ原稿を拾得した拾得者の画像データを示す拾得者画像データ１６０４、当該拾得者の画像データを取得した時間（時間の取得タイミングは、置き忘れ操作者画像取得時間に準じる）を示す拾得者画像取得時間１６０５を記憶することになるが、原稿を置き忘れた操作者画像と、拾得者の関連付けとしては、例えば、原稿を置き忘れた操作者画像のファイル名として、ＩＤ１６０１を含むような構成としておく。
【０１２９】
そして、データテーブルに記憶する際に、操作者画像のファイル名に含まれるＩＤ１６０１と、データテーブルのＩＤ１６０１に記憶されたＩＤとを比較し、一致したレコードに対して、拾得者画像データ１６０４及び拾得者画像取得時間１６０５を記憶する。
【０１３０】
ステップＳ１３０６では、画像形成装置２０１において、図１１を用いて先述した操作者接近検知処理により画像形成装置２０１に操作者が接近してきたことを検出する。
【０１３１】
ステップＳ１３０７では、ネットワークカメラ２０２により画像形成装置２０１に接近してきた操作者の画像を取得し、画像形成装置２０１に配信する。画像形成装置２０１が、ネットワークカメラ２０２の画像を取得できたらステップＳ１３０８へ処理を進める。
【０１３２】
ステップＳ１３０８では、画像形成装置２０１において、ネットワークカメラ２０２から取得した操作者の画像から、その操作者が置き忘れた原稿を拾得した人物の画像を検索する。
【０１３３】
この際、接近してきた操作者が実際に過去に原稿を置き忘れた操作者かどうかは考慮しないが、そもそも拾得者画像のデータは原稿の置き忘れが発生しないと記録されないため、その点は検索に合致するデータが存在するかどうかで判定可能である。つまり、データが存在しない場合は、原稿を置き忘れた操作者ではないと判定する。
【０１３４】
ステップＳ１３０９では、画像形成装置２０１において、ステップＳ１３０８における検索結果をもとに拾得者の画像が存在するかを判定し、存在していると判定した場合は、ステップＳ１３１０に処理を進め、存在しないと判定した場合は、当処理を終了する。
【０１３５】
ステップＳ１３１０では、データストア用サーバ２０４において、ステップＳ１３０５において、データストア用サーバ２０４に記憶された、原稿の拾得者の画像を取得し画像形成装置２０１に送信する。この際、操作者の画像と、データテーブルの置き忘れ操作者画像データ１６０２とから、同一あるいは類似する画像判定したレコードの拾得者画像データ１６０４を送信する。
【０１３６】
ステップＳ１３１１では、データストア用サーバ２０４から取得した原稿置き忘れ操作者の画像を図１５のように操作部３０８（表示部）に表示された画面に表示し、置き忘れ原稿がある旨をステップＳ１３０６で検知した操作者に通知する。通知画面においてＯＫボタンが押下されたら、通知画面を閉じステップＳ１３１２へ進む。
【０１３７】
図１５では、置き忘れ原稿の拾得者の情報を通知する拾得者表示画面１５００を説明する。当拾得者表示画面１５００は、置き忘れ原稿を持ち去った人物を、その原稿の持ち主が画像形成装置２０１に接近した際に通知する画面の一例であり、警告メッセージ１５０１と、置き忘れ原稿を拾得した操作者の画像１５０２、および拾得者画像の取得日時１５０３、今後当画面を表示させないためのチェックボックス１５０４、および当画面を閉じるためのＯＫボタン１５０５から構成される。
【０１３８】
ステップＳ１３１２では、画像形成装置２０１において、拾得者表示画面１５００をこれ以降表示しないことを選択するチェックボックスがチェックされているかを判定し、チェックされたと判定した場合は、ステップＳ１３１３に処理を進め、チェックされていないと判定した場合は、そのまま当該処理を終了する。
【０１３９】
ステップＳ１３１３では、データストア用サーバ２０４において、今後、拾得者情報は通知させないために、データストア用サーバ２０４で記憶していた置き忘れ操作者および拾得者の情報を削除する。当データの削除完了と共に一連の処理を終了する。
【０１４０】
以上、本発明によれば、画像形成装置へ原稿の置忘れに関する通知を画像形成装置付近のユーザへ通知することによって、置き忘れた原稿の持ち主から当該原稿が第三者に渡るリスクを効果的に抑止することによって、セキュリティ強化を図ることができる。
【０１４１】
以上、実施形態例を詳述したが、本発明は、例えば、装置、方法、プログラムもしくは記憶媒体等としての実施態様をとることが可能であり、具体的には、複数の機器から構成されるシステムに適用しても良いし、また、一つの機器からなる装置に適用しても良い。
【０１４２】
また、本発明におけるプログラムは、各処理方法をコンピュータが実行可能（読み取り可能）なプログラムであり、本発明の記憶媒体は、各処理方法をコンピュータが実行可能なプログラムが記憶されている。
【０１４３】
なお、本発明におけるプログラムは、各装置の処理方法ごとのプログラムであってもよい。
【０１４４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【０１４５】
この場合、記録媒体から読み出されたプログラム自体が本発明の新規な機能を実現することになり、そのプログラムを記憶した記録媒体は本発明を構成することになる。
【０１４６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１４７】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１４８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。
【０１５０】
この場合、本発明を達成するためのプログラムを格納した記録媒体を該システムあるいは装置に読み出すことによって、そのシステムあるいは装置が、本発明の効果を享受することが可能となる。
【０１５１】
さらに、本発明を達成するためのプログラムをネットワーク上のサーバ、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【０１５２】
２００    画像形成システム
２０１    画像形成装置
２０２    ネットワークカメラ
２０３    ネットワーク
２０４    データストア用サーバ
３０１    ＣＰＵ
３０２    ＲＡＭ
３０３    ＲＯＭ
３０４    ハードディスクドライブ
３０５    ネットワークインタフェース
３０６    モデム
３０７    操作部インタフェース
３０８    操作部
３０９    システムバス
３１０    ラスタイメージプロセッサ
３１１    プリンタインタフェース
３１２    プリンタ部
３１３    スキャナインタフェース
３１４    スキャナ部
３１５    画像バス
３１６    コントローラユニット
３１７    画像処理部
３１８    外部インタフェース
３１９    カードリーダ
３２０    イメージバスインタフェース
４０１    ＣＰＵ
４０２    ＲＯＭ
４０３    ＲＡＭ
４０４    システムバス
４０５    入力コントローラ
４０６    ビデオコントローラ
４０７    メモリコントローラ
４０８    通信Ｉ／Ｆコントローラ
４０９    ＫＢ
４１０    ＣＲＴ
４１１    外部メモリ
【図１】
2019161662.tif 000003
【図２】
2019161662.tif 000004
【図３】
2019161662.tif 000005
【図４】
2019161662.tif 000006
【図５】
2019161662.tif 000007
【図６】
2019161662.tif 000008
【図７】
2019161662.tif 000009
【図８】
2019161662.tif 000010
【図９】
2019161662.tif 000011
【図１０】
2019161662.tif 000012
【図１１】
2019161662.tif 000013
【図１２】
2019161662.tif 000014
【図１３】
2019161662.tif 000015
【図１４】
2019161662.tif 000016
【図１５】
2019161662.tif 000017
【図１６】
2019161662.tif 000018